(57)【特許請求の範囲】
【請求項１】
フォースプレート型のゲームコントローラと車椅子との間に介在させ、前記車椅子の搭乗者の行動によって生じる前記車椅子の重心移動を前記ゲームコントローラに伝達してゲーム操作を行う入力補助装置であって、
車椅子を乗せるため前記ゲームコントローラに装着される天板と、
前記天板上に乗せられた前記車椅子の前輪を左右方向にのみ転動可能に保つ前輪保持手段と、
前記車椅子の後輪に加えられる回転力に基づいて当該後輪を左右方向に移動させるため前記天板に設けられた後輪移行手段と、を備えたことを特徴とする入力補助装置。
【請求項２】
前記前輪保持手段として、前記天板上に乗せられた前記車椅子の前輪の回転軸心を前後方向に向けて拘束した状態で当該前輪を回動可能に保つ前輪保持具を設けた請求項１記載の入力補助装置。
【請求項３】
前記後輪移行手段として、前記天板上に乗せられた車椅子の後輪の荷重を左右独立して支持可能な複数の回転体を、前記天板の前後方向と平行な仮想中心線を挟んで平面視状態でハ字状若しくは逆ハ字状をなすように配置された複数の支軸を介して回転自在に取り付けたことを特徴とする請求項１または２記載の入力補助装置。
【請求項４】
前記天板に対する前記後輪移行手段の位置が前後方向に変更可能である請求項１〜３のいずれかに記載の入力補助装置。
【請求項５】
前記天板の左右方向と前記回転体の支軸との交差角度が変更可能である請求項３記載の入力補助装置。
【発明の詳細な説明】
【技術分野】
【０００１】
本発明は、フォースプレート型のゲームコントローラを備えたゲーム装置を車椅子に乗った状態で使用可能とするための入力補助装置に関する。
【背景技術】
【０００２】
ＴＶ受像機の画面に表示される映像を見ながらプレイヤがコントローラを操作してゲームを楽しむゲーム装置については、従来、様々な方式が開発されているが、近年、プレイヤがコントローラ上に乗った状態で身体を前後左右に傾動させて重心移動させることによりゲーム操作を行う、フォースプレート型のコントローラを備えたゲーム装置が提案されている（例えば、特許文献１参照。）。
【０００３】
しかしながら、特許文献１記載のゲーム装置の場合、プレイヤは、フォースプレート型のコントローラ上で起立した姿勢でゲーム操作を行う必要があるため、身体が不自由な人や老齢者などが車椅子に乗った状態のままでゲームを行うことができない。
【０００４】
そこで、本願発明者は、車椅子に乗った状態でフォースプレート型のコントローラを操作することのできるゲーム入力補助装置を開発し、実用新案登録出願を行っている（実願２０１０−００４６１９号）。図１１に示すように、前記ゲーム入力補助装置４０は、車椅子（図示せず）が乗り込み可能な長方形状の天板４１と、天板４１の左右側縁部４１ｓに沿って設けられた縁木４２と、天板４１の前縁部４１ａの下面及び後縁部４１ｂの左右寄りの部分に設けられた枕材４３，４４と、フォースプレート型のコントローラ９０の外周に係合させるため天板４１の下面の複数箇所に設けられた枠４５，４６，４７，４８，４９と、を備えている。
【０００５】
入力補助装置４０を使用する場合、所定の床面Ｆ上に置かれたコントローラ９０の上面９１に天板４１を装着する。このとき、天板４１下面の枠４５，４６，４７，４８，４９がコントローラ９０の外周を囲むように係合し、枕材４３，４４の下面が床面Ｆから少し浮いた状態となる。このとき、天板４１の上面４１ｔの太線Ｌ１，Ｌ２の交点が、コントローラ９０の上面９１の中心点の直上に位置する。
【０００６】
次に、入力補助装置４０の天板４１の上面４１ｔに、プレイヤが乗った車椅子（図示せず）を乗せ、車椅子の重心が太線Ｌ１，Ｌ２の交点の真上付近に位置する所でブレーキを掛け、車椅子が前後左右に動かないようにセットする。この後、車椅子に乗ったプレイヤが身体を前後左右に傾動させて重心移動すれば、その動きが天板４１を介してコントローラ９０に伝達されるので、通常通りゲームを行うことができる。
【先行技術文献】
【特許文献】
【０００７】
【特許文献１】特開２００８−２６４１９５号公報
【発明の概要】
【発明が解決しようとする課題】
【０００８】
前述したように、図１１に記載された入力補助器具４０は、基板４１上にセットされた車椅子に乗ったプレイヤが上半身を前後方向及び左右方向に傾けて重心移動することにより、コントローラ９０を間接的に操作してゲームを行うものである。
【０００９】
しかしながら、一般的に使用される車椅子の着座面の左右部分にはアームレストが設けられているので、入力補助装置４０を使用してゲームを行っている車椅子上のプレイヤが身体を左右方向に傾動させるときにアームレストが邪魔になり、左右方向の重心移動が妨げられることが多い。このため、車椅子上のプレイヤは、ゲームの進行状況に即した身体の動きがとれず、自由な操作が阻害され、ゲームを楽しむことができないことが多い。
【００１０】
本発明が解決しようとする課題は、車椅子に乗った人がフォースプレート型のゲームコントローラを自由に操作することのできる入力補助装置を提供することにある。
【課題を解決するための手段】
【００１１】
本発明の入力補助装置は、フォースプレート型のゲームコントローラと車椅子との間に介在させ、前記車椅子の搭乗者の行動によって生じる前記車椅子の重心移動を前記ゲームコントローラに伝達してゲーム操作を行う入力補助装置であって、
車椅子を乗せるため前記ゲームコントローラに装着される天板と、
前記天板上に乗せられた前記車椅子の前輪を左右方向にのみ転動可能に保つ前輪保持手段と、
前記車椅子の後輪に加えられる回転力に基づいて当該後輪を左右方向に移動させるため前記天板に設けられた後輪移行手段と、を備えたことを特徴とする。
【００１２】
ここで、前記「前後方向」及び前記「左右方向」における「前」、「後」、「左」、「右」とは、前記天板上に乗せられた車椅子に通常姿勢で乗った人を基準にして表現したものである（以下、同じ。）。
【００１３】
本発明に係る入力補助装置を構成する天板を、フォースプレート型のゲームコントローラに装着し、前記天板の上面に、プレイヤ（人）が乗った車椅子を乗せる。そして、前輪保持手段を用いて車椅子の前輪を左右方向にのみ転動可能な状態に保ち、車椅子の後輪を後輪移行手段にセットする。この後、車椅子に乗ったプレイヤが身体を前後に傾動させて重心移動すれば、その重心移動が天板を介してゲームコントローラに伝達される。
【００１４】
また、車椅子に乗ったプレイヤが車椅子の左右の後輪に相異なる方向の回転力を加えれば、当該回転力に基づいて機能する後輪移行手段の作用により後輪が左右方向に移動するとともに、それに伴って前輪も左右方向に移動するので、車椅子全体の重心が左右方向に移動し、この重心移動が天板を介してゲームコントローラに伝達される。
【００１５】
このように、天板上の車椅子に乗ったプレイヤが身体を前後傾動させることにより前後方向の重心移動をゲームコントローラに伝達することができ、前記プレイヤが車椅子の左右の後輪に相異なる方向の回転力を加えることにより、左右方向の重心移動をゲームコントローラに伝達することができる。即ち、車椅子に乗ったプレイヤは、自らの行動によりフォースプレート型のゲームコントローラを自由に操作することができる。また、車椅子の左右の後輪に回転力を付与することによって左右方向の重心移動が可能であるため、車椅子に乗ったプレイヤが身体を左右に傾動させる必要がなく、車椅子のアームレストで左右方向の重心移動が妨げられることもない。
【００１６】
ここで、前輪保持手段として、前記天板上に乗せられた前記車椅子の前輪の回転軸心を前後方向に向けて拘束した状態で当該前輪を回動可能に保つ前輪保持具を設けることが望ましい。このような構成とすれば、複雑な機構を用いることなく、車椅子の前輪を左右方向にのみ転動可能に保つことができる。なお、この前輪保持具は、車椅子の前輪に着脱可能とすることもできる。
【００１７】
また、前記後輪移行手段として、前記天板上に乗せられた車椅子の後輪の荷重を左右独立して支持可能な複数の回転体を、前記天板の前後方向と平行な仮想中心線を挟んで平面視状態でハ字状若しくは逆ハ字状をなすように配置された複数の支軸を介して回転自在に取り付けた構成とすることが望ましい。
【００１８】
このような構成において、天板の前後方向と平行な仮想中心線を挟んでハ字状若しくは逆ハ字状をなすように配置された複数の回転体上に、天板上に乗せられた車椅子の左右の後輪の接地側をそれぞれ載置すれば、左右の後輪の支軸と、左右の回転体の支軸と、は、それぞれ「ねじれの位置」関係をなす状態となる。従って、車椅子に乗ったプレイヤが左右の後輪に相異なる方向の回転力を加えれば、左右の後輪と接触している左右の回転体がそれぞれ回転し、後輪と回転体との協働作用により、左右の後輪は、前記回転力の方向に応じて、右方向または左方向に移動する。即ち、車椅子の左右の後輪に相異なる方向の回転力を加えるだけで、車椅子の左右方向の重心移動を行うことができる。
【００１９】
一方、天板上に乗せられた車椅子と当該天板との前後方向の相対位置は、車椅子の後輪がセットされる後輪移行手段の位置によって決定されるが、車椅子のメーカーや型式あるいはプレイヤの体型などが異なると、プレイヤが乗った車椅子の重心が天板上の適切な位置に設定されないことがある。
【００２０】
そこで、前記天板に対する前記後輪移行手段の位置が前後方向に変更可能な構成とすることが望ましい。このような構成とすれば、天板上に乗せられた車椅子と当該天板との前後方向の相対位置を決定する後輪移行手段の位置が前後方向に調整可能となるため、車椅子のメーカーや型式あるいはプレイヤの体型などに応じて、車椅子の重心を天板上の適切な位置に設定することができる。
【００２１】
また、前記天板の左右方向と前記回転体の支軸との交差角度が変更可能な構成とすることが望ましい。このような構成とすれば、天板上に乗せた車椅子の後輪の回転角度と、当該後輪の左右方向の移動距離と、の相関係数を、前記交差角度を変更することによって調整可能となるため、プレイヤの体型、腕力あるいは好みに応じた設定を行うことができ、操作性が向上する。
【発明の効果】
【００２２】
本発明により、車椅子に乗った人がフォースプレート型のゲームコントローラを自由に操作することのできる入力補助装置を提供することができる。
【図面の簡単な説明】
【００２３】
【図１】本発明の実施形態である入力補助装置の使用状態を示す斜視図である。
【図２】図１に示す入力補助装置の斜視図である。
【図３】図２に示す入力補助装置の分解斜視図である。
【図４】図３に示す天板及びゲームコントローラの斜視図である。
【図５】天板をゲームコントローラに装着した状態を示す側面図である。
【図６】図１に示す入力補助装置の前輪保持手段を示す斜視図である。
【図７】図２に示す入力補助装置の天板及び後輪移行手段を示す斜視図である。
【図８】図７における矢線Ａで示す部分の分解斜視図である。
【図９】図２に示す入力補助装置のローラ角度変更機構を示す平面図である。
【図１０】図１に示す入力補助装置の使用状態を示す斜視図である。
【図１１】従来の入力補助装置を示す斜視図である。
【発明を実施するための形態】
【００２４】
図１〜図３に示すように、本実施形態の入力補助装置１０は、フォースプレート型のゲームコントローラ９０と車椅子８０との間に介在させ、車椅子８０に乗ったプレイヤＰの行動によって生じる車椅子８０の重心移動をゲームコントローラ９０に伝達してゲーム操作を行う装置である。入力補助装置１０は、車椅子８０を乗せるためゲームコントローラ９０の上面９１を覆うように装着される天板２０と、天板２０上に乗せられた車椅子８０の前輪８１を左右方向にのみ転動可能に保つ手段である前輪保持具３０と、プレイヤＰが車椅子８０の後輪８２Ｌ，８２Ｒに加えた回転力に基づいて当該後輪８２Ｌ，８２Ｒを左右方向に移動させるため天板２０に設けられた後輪移行手段４０と、を備えている。
【００２５】
また、天板２０上に乗せられた車椅子８０の前輪８１及び後輪８２の接地レベルを揃えるため、天板２０と前輪８１との間に着脱可能に介在させる補高部材５０を備えている。補高部材５０は、左右方向の長さが天板２０と等しい長方形の平板材で形成された基板５１と、基板５１の下面に付設された複数のリブ５２と、を備えている。補高部材５０を天板２０上にセットするとき、複数のリブ５２の長手方向が天板２０の左右方向を向くように配置すると、それぞれのリブ５２の両端に設けられた切欠部５２ａが、天板２０左右両側のガード部材２１に嵌合し、基板５１上に表示された標線５３が天板２０の標線２５ｙの真上に位置し且つ標線５３，２５ｙが平行をなした状態となる。
【００２６】
図４に示すように、長方形状の平板材で形成された天板２０上面の左右側縁部２０ｓに沿ってガード部材２１が上方に向かって突設され、天板２０下面の前縁部２０ａ及び後縁部２０ｂの左右寄りの部分に沿ってそれぞれ枕材２２，２３が下方に向かって突設されている。天板２０の下面２０ｄには、コントローラ９０の外周に着脱可能に係合する複数のリブ２４ａ，２４ｂ，２４ｃが設けられている。これらのリブ２４ａ，２４ｂ，２４ｃでコントローラ９０の外周を包囲するようにして、天板２０をコントローラ９０の上面９１に載置すると、図５に示すように、天板２０の下面２０ｄのリブ２４ａ，２４ｂ，２４ｃで囲まれた領域がコントローラ９０上面９１に密着するとともに、複数のリブ２４ａ，２４ｂ，２４ｃのそれぞれの内側面がコントローラ９０の外周に密着して係合し、天板２０がコントローラ９０の上面９１に一体的に装着される。
【００２７】
このとき、枕材２２，２３の下面及びリブ２４ａ，２４ｂ，２４ｃの下面と床面Ｆの間にそれぞれ隙間Ｖ１，Ｖ２が生じた状態に保たれる。また、天板２０の上面２０ｕに表示された標線２５ｘ，２５ｙの交点２５ｃが、コントローラ９０の上面９１に表示された標線９２ｘ，９２ｙの交点９２ｃの直上に位置する。なお、天板２０の上面２０ｕの標線２５ｙは前後方向に描かれ、標線２５ｘは左右方向に描かれ、天板２０は標線２５ｙを中心に鏡面対称な構造をなしている。
【００２８】
図６に示すように、前輪保持具３０は、平面視形状がコ字状の本体３１と、本体３１の両端部にそれぞれヒンジ３２を介して開閉可能に接合されたストッパ３３と、ストッパ３３を閉止状態に保つネジ３４と、を備えている。車椅子８０の前輪８１に保持具３０を取り付ける場合、ネジ３４を緩める（若しくは取り外す）ことにより、ヒンジ３２中心に回動可能となったストッパ３３を外側に開いた状態とし、左右の前輪８１の後方に本体３１が位置するような姿勢で保持具３０を前輪８１に装着した後、ストッパ３３を閉じ、ネジ３４を締め付ける。これにより、左右の前輪８１は、それぞれの回転軸心８１ｃを前後方向に向けるとともに、車椅子８０のキャスタ軸８３回りの回動ができない状態に拘束されるため、前輪８１は左右方向にのみ転動可能に保たれる。なお、ネジ３４を緩め（若しくは取り外し）、前述と逆の作業を行えば、前輪保持具３０を左右の前輪８１から離脱させることができる。
【００２９】
図１，図７に示すように、後輪移行手段４０は、天板２０上に乗せられた車椅子８０の後輪８２Ｌ，８２Ｒの荷重を左右独立して支持可能な回転体である複数のローラ４１Ｌ，４１Ｒ，４２Ｌ，４２Ｒと、ローラ４１Ｌ，４１Ｒ，４２Ｌ，４２Ｒの各支軸４１Ｌａ，４１Ｒａ，４２Ｌａ，４２Ｒａを回転自在に保持する中央軸受け部材４３及び側方軸受け部材４４Ｌ，４４Ｒを支える基板４５と、を備えている。中央軸受け部材４３は、後述する係脱機構を介して、基板４５の中央部分に前後位置変更可能に係止され、左右一対の側方軸受け部材４４Ｌ，４４Ｒは基板４５の左右の側縁部４５Ｌ，４５Ｒに沿って固定されている。
【００３０】
左右一対をなす前方のローラ４１Ｌ，４１Ｒ及び後方のローラ４２Ｌ，４２Ｒは、天板２０の前後方向と平行な仮想中心線（標線２５ｙ）を挟んで平面視状態でそれぞれハ字状をなすように配置された支軸４１Ｌａ，４１Ｒａ及び支軸４２Ｌａ，４２Ｒａを介して回転自在に取り付けられている。支軸４１Ｌａ，４２Ｌａ同士及び支軸４１Ｒａ，４２Ｒａ同士はそれぞれ互いに平行であり、支軸４１Ｌａ，４２Ｌａ間の距離及び支軸４１Ｒａ，４２Ｒａ間の距離は、車椅子８０の後輪８２Ｌ，８２Ｒの外径より小さいが、ローラ４１Ｌ，４２Ｌ同士及びローラ４１Ｒ，４２Ｒ同士が接触しない程度である。なお、支軸４１Ｌａ，４１Ｒａ及び支軸４２Ｌａ，４２Ｒａは仮想中心線（標線２５ｙ）を挟んで平面視状態で逆ハ字状をなすように配置することもできる。
【００３１】
ここで、図７，図８に基づいて、天板２０に対する後輪移行手段４０の位置を前後方向に変更する機構について説明する。なお、図７中の矢線Ａで示す部分と矢線Ｂで示す部分とは中央軸受け部材４３を挟んで鏡面対称な構造であるため、矢線Ｂで示す部分に関する説明は省略する。
【００３２】
図８に示すように、後輪移行手段４０の基板４５の側縁部４５Ｒに突起部４５ａが設けられ、天板２０のガード部材２１の内側面に、突起部４５ａが係脱可能に嵌合する複数の凹部２１ａが前後方向に沿って等間隔に設けられている。後輪移行手段４０を天板２０の上面２０ｕにセットするとき、基板４５の突起部４５ａを、複数の凹部２１ａのうちのいずれかに嵌合させるかにより、天板２０に対する後輪移行手段４０の前後位置を変更することができる。
【００３３】
次に、図９に基づいて、天板２０の左右方向と、ローラ４１Ｌ，４１Ｒ，４２Ｌ，４２Ｒの各支軸４１Ｌａ，４１Ｒａ，４２Ｌａ，４２Ｒａと、の交差角度Ｄを変更する機構について説明する。図９（ａ）に示すように、通常使用時、ローラ４１Ｌ，４１Ｒ，４２Ｌ，４２Ｒは天板２０の上面２０ｕの標線２５ｙを挟んで平面視状態でハ字状をなすように配置されている。このときの交差角度Ｄは７．５度であるが、側方軸受け部材４４Ｌ，４４Ｒを動かさず、基板４５に対する中央軸受け部材４３の係止位置を前後方向に変更することにより、交差角度Ｄを、図９（ａ）に示す７．５度から図９（ｂ）に示す０度の範囲内で変更することができる。
【００３４】
即ち、基板４５の上面４５ａと中央軸受け部材４３の下面との間に係脱可能な凹凸嵌合機構（図示せず）が設けられ、この嵌合機構は、基板４５に対して中央軸受け部材４３が係止可能な位置が前後方向に沿って複数設けられているため、基板４５に対する中央軸受け部材４３の位置を前後方向に変更することにより、交差角度Ｄは７．５度〜０度の範囲内で変更可能である。また、支軸４１Ｌａ，４１Ｒａ，４２Ｌａ，４２Ｒａは伸縮性を有するため、基板４５に対する中央軸受け部材の位置を変更する際に支軸４１Ｌａ，４１Ｒａ，４２Ｌａ，４２Ｒａに加わる軸心方向の力を吸収することができる。なお、前記交差角度の調整範囲は７．５度〜０度の範囲内に限定するものではないので、使用条件などに応じて任意に設定することができる。
【００３５】
次に、図１〜図３及び図１０に基づいて入力補助装置１０の使い方について説明する。図１〜図３に示すように、後輪移行手段４０及び補高部材５０が上面２０ｕに配置された天板２０をゲームコントローラ９０に装着し、天板２０上に、プレイヤＰが乗った車椅子８０をセットし、車椅子８０の左後輪８２Ｌをローラ４１Ｌ，４２Ｌに乗せ、右後輪８２Ｒをローラ４１Ｒ，４２Ｒに乗せ、前輪８１を補高部材５０上に乗せる。このとき、天板２０の標線２５ｘ，２５ｙの交点２５ｃの真上に、車椅子８０の重心が位置するようにする。交点２５ｃの真上に、車椅子８０の重心が位置しないときは、図８に示す位置変更機構を利用して後輪移行手段４０の位置を調整する。この後、図６に示すように、左右の前輪８１に前輪保持具３０を装着して、前輪８１を左右方向にのみ転動可能な状態とすれば、使用準備は完了する。
【００３６】
図１０に示すように、車椅子８０に乗ったプレイヤＰが、ディスプレイＴに表示されているゲーム映像を見ながら、身体を前後に傾動させて重心移動すれば、その重心移動が天板２０を介してゲームコントローラ９０に伝達され、プレイヤＰが車椅子８０の右後輪８２Ｒ、左後輪８２Ｌに相異なる方向の回転力を加えれば、当該回転力に基づいて機能する後輪移行手段４０の作用により後輪８２Ｌ，８２Ｒが左右方向に移動するとともに、それに伴って前輪８１も左右方向に移動するので、車椅子８０全体の重心が左右方向に移動し、この重心移動が天板２０を介してゲームコントローラ９０に伝達される。
【００３７】
本実施形態の場合、図１０に示すように、左後輪８２Ｌに矢線ＳＬ向きの回転力を加え、右後輪８２Ｒに矢線ＳＲ向きの回転力を加えると、車椅子８０が左方向へ移動し、これらと逆方向の回転力をそれぞれ左右の後輪８２Ｌ，８２Ｒに加えると、車椅子８０が右方向へ移動する。
【００３８】
このように、天板２０上の車椅子８０に乗ったプレイヤＰが身体を前後傾動させることにより前後方向の重心移動をゲームコントローラ９０に伝達することができ、プレイヤＰが車椅子８０の左右の後輪８２Ｌ，８２Ｒに相異なる方向の回転力を加えることにより、左右方向の重心移動をゲームコントローラ９０に伝達することができる。即ち、車椅子８０に乗ったプレイヤＰは、自らの行動によりフォースプレート型のゲームコントローラ９０を自由に操作することができる。
【００３９】
また、車椅子８０の左右の後輪８２Ｌ，８２Ｒに回転力を付与することによって左右方向の重心移動が可能であるため、車椅子８０に乗ったプレイヤＰが身体を左右に傾動させる必要がなく、車椅子８０のアームレスト８４で左右方向の重心移動が妨げられることもない。
【００４０】
入力補助装置１０は、図２，図６に示す前輪保持具３０を有するため、複雑な機構を用いることなく、車椅子８０の前輪８１を左右方向にのみ転動可能に保つことができる。この前輪保持具３０は、車椅子８０の前輪８１に簡単に着脱することができるため、使い勝手も良好である。
【００４１】
また、後輪移行手段４０として、天板２０上に乗せられた車椅子８０の後輪８２Ｌ，８２Ｒの荷重を左右独立して支持可能な複数のローラ４１Ｌ，４１Ｒ，４２Ｌ，４２Ｒを、天板２０の前後方向と平行な仮想中心線（標線２５ｙ）を挟んで平面視状態でハ字状をなすように配置された複数の支軸４１Ｌａ，４１Ｒａ，４２Ｌａ，４２Ｒａを介して回転自在に取り付けている。
【００４２】
図１０に示すように、車椅子８０の左右の後輪８２Ｌ，８２Ｒの接地側をローラ４１Ｌ，４１Ｒ，４２Ｌ，４２Ｒ上に載置すると、後輪８２Ｌ，８２Ｒの支軸８２ａの軸心８２ｃと、左右のローラ４１Ｌ，４１Ｒ，４２Ｌ，４２Ｒの支軸４１Ｌａ，４１Ｒａ，４２Ｌａ，４２Ｒａと、は、それぞれ「ねじれの位置」関係をなす状態となる。従って、車椅子８０に乗ったプレイヤＰが左右の後輪８２Ｌ，８２Ｒに相異なる方向の回転力を加えれば、左右の後輪８２Ｌ，８２Ｒと接触している左右のローラ４１Ｌ，４１Ｒ，４２Ｌ，４２Ｒがそれぞれ回転し、後輪８２Ｌ，８２Ｒとローラ４１Ｌ，４１Ｒ，４２Ｌ，４２Ｒとの協働作用により、後輪８２Ｌ，８２Ｒは、前記回転力の方向に応じて、右方向または左方向に移動する。即ち、車椅子８０の左右の後輪８２Ｌ，８２Ｒに相異なる方向の回転力を加えるだけで、車椅子８０の左右方向の重心移動を行うことができるため、操作は簡単である。
【００４３】
また、図８に示すように、天板２０に対する後輪移行手段４０の位置が前後方向に変更可能な機構を設けたことにより、天板２０上に乗せられた車椅子８０と当該天板２０との前後方向の相対位置を決定する後輪移行手段４０の位置が前後方向に調整可能となるため、車椅子８０のメーカーや型式あるいはプレイヤの体型などに応じて、車椅子８０の重心を天板２０上の適切な位置（交点２５ｃの真上）に設定することができる。
【００４４】
さらに、図９に示すように、天板２０の左右方向とローラ４１Ｌ，４１Ｒ，４２Ｌ，４２Ｒの支軸４１Ｌａ，４１Ｒａ，４２Ｌａ，４２Ｒａとの交差角度Ｄが変更可能な機構を設けているため、交差角度Ｄを変更することにより、天板上２０に乗せた車椅子８０の後輪８２Ｌ，８２Ｒの回転角度と、当該後輪８２Ｌ，８２Ｒの左右方向の移動距離と、の相関係数を調整することができる。即ち、交差角度Ｄを大きくすると後輪８２Ｌ，８２Ｒの回転角度に比べ左右方向の移動距離が大きくなり、交差角度Ｄを小さくすると後輪８２Ｌ，８２Ｒの回転角度に比べ左右方向の移動距離が小さくなる。従って、プレイヤＰの体型、腕力あるいは好みに応じて交差角度Ｄを設定することにより、操作性を向上させることができる。
【００４５】
なお、前述した交差角度Ｄを０度とすると、ローラ４１Ｌ，４１Ｒ，４２Ｌ，４２Ｒは図９（ｂ）に示す状態となり、後輪８２Ｌ，８２Ｒに回転力を加えても後輪８２Ｌ，８２Ｒはローラ４１Ｌ，４１Ｒ，４２Ｌ，４２Ｒとともに回転するだけで左右方向に移動しなくなる。そこで、敢えて、交差角度Ｄを０度とするとともに、前輪保持具３０と前輪８１との間に当該前輪８１を回転不能に拘束する部材を介在させれば、後輪８２Ｌ，８２Ｒにどのような回転力を加えても車椅子８０は前後左右に動かない状態に保たれるので、車椅子を使用する人の室内ランナー器具として使用することもできる。
【００４６】
一方、図３に示すように、入力補助装置１０を構成する前輪保持具３０、後輪移送手段４０及び補高部材５０はそれぞれユニット化されて、天板２０や車椅子８０に対して着脱可能な構成となっており、入力補助装置１０を使用しないときは、天板２０、前輪保持具３０、後輪移送手段４０及び補高部材５０ごとに分解することができるため、持ち運び性や収納性なども良好である。
【産業上の利用可能性】
【００４７】
本発明に係る入力補助装置は、車椅子に乗った人がフォースプレート型のゲームコントローラを備えたゲーム装置を使用する際の補助装置として広く利用することができる。
【符号の説明】
【００４８】
１０  入力補助装置
２０  天板
２０ａ  前縁部
２０ｂ  後縁部
２０ｄ  下面
２０ｓ  側縁部
２０ｕ  上面
２１  ガード部材
２１ａ  凹部
２２，２３  枕材
２４ａ，２４ｂ，２４ｃ  リブ
２５ｃ  交点
２５ｘ，２５ｙ，５３  標線
３０  前輪保持具
３１  本体
３２  ヒンジ
３３  ストッパ
３４  ネジ
４０  後輪移行手段
４１Ｌ，４１Ｒ，４２Ｌ，４２Ｒ  ローラ
４１Ｌａ，４１Ｒａ，４２Ｌａ，４２Ｒａ，８２ａ  支軸
４３  中央軸受け部材
４４Ｌ，４４Ｒ  側方軸受け部材
４５，５１  基板
４５ａ  突起部
４５Ｌ，４５Ｒ  側縁部
５０  補高部材
５２  リブ
５２ａ  切欠部
８０  車椅子
８１  前輪
８１ｃ  回転軸心
８２Ｌ  左後輪
８２Ｒ  右後輪
８２ｃ  軸心
８３  キャスタ軸
８４  アームレスト
９０  ゲームコントローラ
９１  上面
Ａ，Ｂ，ＳＬ，ＳＲ  矢線
Ｄ  交差角度
Ｐ  プレイヤ
Ｔ  ディスプレイ
Ｖ１，Ｖ２  隙間
【図１】
0005606827.tif 000002
【図２】
0005606827.tif 000003
【図３】
0005606827.tif 000004
【図４】
0005606827.tif 000005
【図５】
0005606827.tif 000006
【図６】
0005606827.tif 000007
【図７】
0005606827.tif 000008
【図８】
0005606827.tif 000009
【図９】
0005606827.tif 000010
【図１０】
0005606827.tif 000011
【図１１】
0005606827.tif 000012